【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
血圧カフであって、
エッジを有するアラインメント用タブ部と、
スリーブと、
前記スリーブ内に配置された空気室と、
を有し、
前記空気室は、第１の幅と、第１の端部と、第２の端部とを有する第１の長方形部分と、前記第１の長方形部分の前記第２の端部から、前記アラインメント用タブ部から離れる方向に幅が次第に大きくなるように形成されたテーパー部とを有するものであり、
前記アラインメント用タブ部の前記エッジから前記第１の長方形部分の前記第２の端部までの長さは、前記血圧カフの最小腕周囲長にほぼ等しいものであり、
前記血圧測定カフは、第１の周囲長と、第２の周囲長とを含む所定の範囲の腕周囲長に適合するサイズに設定され、前記第２の周囲長は前記第１の周囲長より大きいものであり、
前記第１の幅は、前記第１の周囲長と前記第１の周囲長のＬｏｇの差の１／２（Ｗ１＝（Ｃ１−ＬＯＧ（Ｃ１））／２）にほぼ等しいものである、
血圧カフ。
【請求項２】
請求項１記載の血圧カフにおいて、前記空気室は、さらに、
前記第１の幅よりも大きい第２の幅を有する第２の長方形部分を含み、前記テーパー部は前記第１の長方形部分と前記第２の長方形部分との間に亘って延長するものであり、前記第２の幅は、前記第２の周囲長と前記第２の周囲長のＬｏｇの差の１／２（Ｗ２＝（Ｃ２−ＬＯＧ（Ｃ２））／２）にほぼ等しいものである、血圧カフ。
【請求項３】
請求項１記載の血圧カフにおいて、前記テーパー部は、直線テーパーである、血圧カフ。
【請求項４】
請求項１記載の血圧カフにおいて、前記テーパー部は、曲線テーパーである、血圧カフ。
【請求項５】
請求項１記載の血圧カフにおいて、前記血圧カフは、
約２２センチメートル〜２６センチメートルの腕周囲長に適合するように構成されており、その場合、前記アラインメント用タブ部の前記エッジから前記第１の長方形部分の前記第２の端部までの長さは約２２センチメートルとなるものである、血圧カフ。
【請求項６】
請求項１記載の血圧カフにおいて、前記血圧カフは、
約２７センチメートル〜３４センチメートルの腕周囲長に適合するように構成されており、その場合、前記アラインメント用タブ部の前記エッジから前記第１の長方形部分の前記第２の端部までの長さは約２７センチメートルとなるものである、血圧カフ。
【請求項７】
請求項１記載の血圧カフにおいて、前記血圧カフは、
約３５センチメートル〜４４センチメートルの腕周囲長に適合するように構成されており、その場合、前記アラインメント用タブ部の前記エッジから前記第１の長方形部分の前記第２の端部までの長さは約３５センチメートルとなるものである、血圧カフ。
【請求項８】
血圧カフであって、
スリーブと、
前記スリーブ内に配置された空気室と、
を有し、
前記空気室は、第１の幅を有する第１の長方形部分と、前記第１の幅よりも大きい第２の幅を有する第２の長方形部分と、前記第１の長方形部分と前記第２の長方形部分との間に亘って延長するテーパー部とを含み、
前記血圧測定カフは、第１の周囲長と、第２の周囲長とを含む所定の範囲の腕周囲長に適合するサイズに設定され、前記第２の周囲長は前記第１の周囲長より大きいものであり、
前記第１の幅は、前記第１の周囲長と前記第１の周囲長のＬｏｇの差の１／２（Ｗ１＝（Ｃ１−ＬＯＧ（Ｃ１））／２）にほぼ等しいものであり、
前記第２の幅は、前記第２の周囲長と前記第２の周囲長のＬｏｇの差の１／２（Ｗ２＝（Ｃ２−ＬＯＧ（Ｃ２））／２）にほぼ等しいものである、
血圧カフ。
【請求項９】
請求項８記載の血圧カフにおいて、前記テーパー部は、直線テーパーである、血圧カフ。
【請求項１０】
請求項８記載の血圧カフにおいて、前記テーパー部は、曲線テーパーである、血圧カフ。
【手続補正２】
【補正対象書類名】明細書
【補正対象項目名】０００４
【補正方法】変更
【補正の内容】
【０００４】
患者の腕周囲に対する動脈を覆う空気室の幅の割合は、動脈を適切に閉塞するため、約４０％の範囲であるべきであると提案されてきた。加えて、正確な計測を提供するためには、前記空気室（空気室はそれ自体で重なり合わないように）は少なくとも腕の約８０％で、及び腕の１００％以下で取り巻くべきであると提案されてきた。上記の一般臨床の場での議論に基づいて、血圧カフ（ｂｌｏｏｄ  ｐｒｅｓｓｕｒｅ  ｃｕｆｆ）の正確性且つ、患者の腕周囲に亘る長さと一致させるという両方の要件を満たす必要性がある。
この出願の発明に関連する先行技術文献情報としては、以下のものがある。
（先行技術文献）
（特許文献）
（特許文献１）  米国特許第３６９，９４５号明細書
（特許文献２）  米国特許第１，０６３，２８７号明細書
（特許文献３）  米国特許第２，８４１，１４９号明細書
（特許文献４）  米国特許第３，５１３，８３１号明細書
（特許文献５）  米国特許第３，６６９，０９６号明細書
（特許文献６）  米国特許第４，３７８，００９号明細書
（特許文献７）  米国特許第４，４６６，９５８号明細書
（特許文献８）  米国特許第４，５４２，７４３号明細書
（特許文献９）  米国特許第４，７１６，９０６号明細書
（特許文献１０）  米国特許第４，８９０，６２５号明細書
（特許文献１１）  米国特許第４，９０１，７３２号明細書
（特許文献１２）  米国特許第５，３５４，４５０号明細書
（特許文献１３）  米国特許第５，６６０，１８２号明細書
（特許文献１４）  米国特許第５，８７１，４９９号明細書
（特許文献１５）  米国特許第６，１７１，２７１号明細書
（特許文献１６）  米国特許第６，８６６，６３６号明細書
（特許文献１７）  米国特許第７，４２７，２６８号明細書
（特許文献１８）  米国特許第８，３６１，１０７号明細書
（特許文献１９）  米国特許出願公開第２００４／００３４３０８号明細書
（特許文献２０）  米国特許出願公開第２００４／００９２８３３号明細書
（特許文献２１）  米国特許出願公開第２００７／０１３５７２０号明細書
（特許文献２２）  米国特許出願公開第２００９／００４３２１５号明細書
（特許文献２３）  米国特許出願公開第２０１２／０１３０４１９号明細書
（特許文献２４）  米国特許出願公開第２０１３／０１０９９８１号明細書
（特許文献２５）  国際公開第２０１６／０４４４５９号
（非特許文献）
（非特許文献１）  ＦＥＤＥＲ  ｅｔ  ａｌ．，Ｔａｐｅｒｅｄ  Ｂｌｏｏｄ  Ｐｒｅｓｓｕｒｅ  Ｃｕｆｆ  ｆｏｒ  Ｖａｒｙｉｎｇ  Ａｒｍ  Ｃｉｒｃｕｍｆｅｒｅｎｃｅｓ，Ｔｈｅ  Ｆｉｓｃｈｅｌｌ  Ｄｅｐａｒｔｍｅｎｔ  ｏｆ  Ｂｉｏｅｎｇｉｎｅｅｒｉｎｇ（Ａ．Ｊａｍｅｓ  Ｃｌａｒｋ  Ｓｃｈｏｏｌ  ｏｆ  Ｅｎｇｉｎｅｅｒｉｎｇ  ａｎｄ  Ｕｎｉｖｅｒｓｉｔｙ  ｏｆ  Ｍａｒｙｌａｎｄ），Ｍａｙ  １８，２０１２，Ｐａｇｅ  １．
（非特許文献２）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｄａｔｅｄ  Ｄｅｃｅｍｂｅｒ  ２８，２０１５  ｆｏｒ  ＰＣＴ／ＵＳ２０１５／５０４８９．
（非特許文献３）  Ｅｕｒｏｐｅａｎ  Ｓｅａｒｃｈ  Ｒｅｐｏｒｔ  ａｎｄ  Ｗｒｉｔｔｅｎ  Ｏｐｉｎｉｏｎ  ｄａｔｅｄ  Ｍａｒｃｈ  １７，２０１５  ｆｏｒ  ＥＰ  １４１８４９１３．３
（非特許文献４）  ＭＡＸＷＥＬＬ，ＧＥＯＲＧＥ  ｅｔ  ａｌ．，"Ｃｏｍｐａｒｉｓｏｎ  ｏｆ  ｔｈｅ  Ｃｏｎｉｃａｌ  Ｃｕｆｆ  ａｎｄ  ｔｈｅ  Ｓｔａｎｄａｒｄ  Ｒｅｃｔａｎｇｕｌａｒ  Ｃｕｆｆ"，Ｉｎｔｅｒｎａｔｉｏｎａｌ  Ｊｏｕｒｎａｌ  ｏｆ  Ｅｐｉｄｅｍｉｏｌｏｇｙ，Ｖｏｌｕｍｅ  １４，ｎｕｍｂｅｒ  ３，（１９８５），４６８−４７２
（非特許文献５）  ＧＯＴＫＩＮ，ＪＯＥＬ  ｅｔ  ａｌ．，"Ｄｙｎａｓｌｅｅｖｅ  −  Ａ  Ｂｌｏｏｄ  Ｐｒｅｓｓｕｒｅ  Ｃｕｆｆ  Ｓｕｉｔａｂｌｅ  ｆｏｒ  Ｏｂｅｓｅ  Ｐａｔｉｅｎｔｓ"，Ｄｕｋｅ  Ｄｉｅｔ  ａｎｄ  Ｆｉｔｎｅｓｓ  Ｃｅｎｔｅｒ，（Ｆｅｂｒｕａｒｙ  １３，２００７）